(57)【要約】【課題】簡易な構成で情報の更新および使用形態の変更にも柔軟に対応することができる情報媒体を提供する。【解決手段】本考案の情報媒体は、第１情報が印刷された透明な第１シート１と、第１シート１の第１情報に対応した第２情報が印刷された第２シート２とを重ね合わせることにより、第１情報と第２情報とを重畳的に表示可能な情報媒体であって、第１シート１および第２シート２の全体に共通する位置合わせマーカ３が付されている。【選択図】図１
0003171545.tif 000002
【実用新案登録請求の範囲】
【請求項１】
第１情報が印刷された一枚または複数枚の透明な第１シートと、該第１シートの第１情報に対応した第２情報が印刷された第２シートとを重ね合わせることにより、第１情報と第２情報とを重畳的に表示可能な情報媒体であって、
前記第１シートおよび第２シートの全体に共通する位置合わせマーカが付されていることを特徴とする情報媒体。
【請求項２】
請求項１記載の情報媒体において、
前記第１シートが１枚であり該第１シートの前記第１情報が地図情報であって、前記第２情報が地図情報に対応した特定対象物の分布情報である場合に、
前記位置合わせマーカが行政区画の境界ラインであることを特徴とする情報媒体。
【請求項３】
請求項１記載の情報媒体において、
前記第１シートが複数枚でありそのうちの１枚の該第１シートの前記第１情報が地図情報であって、残りの該第１シートの前記第１情報および前記第２シートの前記第２情報が地図情報に対応した特定対象物の分布情報である場合に、
前記位置合わせマーカが行政区画の境界ラインであることを特徴とする情報媒体。
【請求項４】
請求項２または３記載の情報媒体において、
前記特定対象物が放射性物質であって、前記第２情報が放射線量の瞬時値または積算値であることを特徴とする情報媒体。
【考案の詳細な説明】
【技術分野】
【０００１】
本考案は、第１情報が印刷された透明な第１シートと、該第１シートの第１情報に対応した第２情報が印刷された第２シートとを重ね合わせることにより、第１情報と第２情報とを重畳的に表示可能な情報媒体に関する。
【背景技術】
【０００２】
従来、この種の情報媒体としては、下記特許文献１に示すように、配管経路および水栓番号を記載した透明または半透明のトレーシングペーパを住宅地図に重ね合わせた多重透視図が知られている（特許文献１、図２参照）。
【先行技術文献】
【特許文献】
【０００３】
【特許文献１】特開平９−６２３１号公報
【考案の概要】
【考案が解決しようとする課題】
【０００４】
しかしながら、従来の多重透視図では、配管経路と住宅地図とを重ね合わせることで、特定の住宅と水栓番号とを対応付けることが可能となるものの、位置合わせは、トレーシングペーパ上の配管経路と住宅地図上の道路とにより行うため、これら配管経路と道路とのいずれか一方または両方が更新された場合には、もはや位置合わせを行うことができないという問題があった。
【０００５】
一方で、トレーシングペーパおよび住宅地図の一端縁を互いに固定することにより位置合わせ等する構造も考えられるが、トレーシングペーパまたは住宅地図の一部分のみを利用する場合には、もはや位置合わせをすることができないという問題があった。
【０００６】
以上の事情に鑑みて、本考案は、簡易な構成で情報の更新および使用形態の変更にも柔軟に対応することができる情報媒体を提供することを目的とする。
【課題を解決するための手段】
【０００７】
上記目的を達成するために、第１考案は、第１情報が印刷された透明な第１シートと、該第１シートの第１情報に対応した第２情報が印刷された第２シートとを重ね合わせることにより、第１情報と第２情報とを重畳的に表示可能な情報媒体であって、
前記第１シートおよび第２シートの全体に共通する位置合わせマーカが付されていることを特徴とする。
【０００８】
第１考案の情報媒体によれば、第１シートおよび第２シートには、そこに印刷された第１情報および第２情報とは別に、位置合わせのための位置合わせマーカがそれぞれのシートの全体に付されている。
【０００９】
そのため、第１シートの第１情報と第２シートの第２情報のいずれか一方または両方が更新された場合でも、位置合わせマーカを頼りに確実に第１シートと第２シートとを位置合わせして、第１情報と第２情報とを重畳的に表示することができる。
【００１０】
さらに、第１シートおよび第２シートの一端縁を互いに固定することにより位置合わせする構造の場合には、第１シートの一部または第２シートの一部のみを取り出して利用することが困難となるが、第１考案の情報媒体によれば、位置合わせマーカがそれぞれのシートの全体に付されているため、第１シートの一部または第２シートの一部のみを取り出した場合にも、第１情報と第２情報とを重畳的に表示することができる。
【００１１】
このように、第１考案の情報媒体によれば、簡易な構成で情報の更新および使用形態の変更にも柔軟に対応することができる。
【００１２】
第２考案の情報媒体は、第１考案において、
前記第１シートが１枚であり該第１シートの前記第１情報が地図情報であって、前記第２情報が地図情報に対応した特定対象物の分布情報である場合に、前記位置合わせマーカが行政区画の境界ラインであることを特徴とする。
【００１３】
第２考案の情報媒体によれば、一般的に特定対象物の分布情報は、大まかな地形図等の上で描かれていることが多い。この場合、多くのユーザは、その大まかな地形図上から自分に関係する位置の分布情報を読取らなければならないという、煩雑かつ困難な作業を強いられる。
【００１４】
しかしながら、透明な第１シートに地図情報を印刷することで、第２シート上の特定対象物の分布情報を第１シート上の地図情報と重畳的表示することができ、ユーザは自分に関係する位置の分布情報を簡単かつ正確に読取ることが可能となる。
【００１５】
さらに、位置合わせマーカを行政区画の境界ライン、たとえば、県境・市町村境とすることで、地図上のどのエリアでも境界ラインを頼りに分布情報を読取ることができ、簡易な構成で分布情報の更新および使用形態の変更にも柔軟に対応することができる。
【００１６】
第３考案の情報媒体は、第１考案において、
前記第１シートが複数枚でありそのうちの１枚の該第１シートの前記第１情報が地図情報であって、残りの該第１シートの前記第１情報および前記第２シートの前記第２情報が地図情報に対応した特定対象物の分布情報である場合に、前記位置合わせマーカが行政区画の境界ラインであることを特徴とする。
【００１７】
第３考案によれば、第１シートが複数枚から構成される場合に、そのうちの１枚のシートに第１情報としての地図情報を記載し、残りの第１シートに第２シートと同様に地図情報に対応した特定対象物（第２シートに印刷された第２情報と異なる特定対象物）の分布情報を記載してもよい。この場合にも、複数枚の第１シートに共通に印刷された位置合わせマーカを行政区画の境界ラインにすることにより、複数の第１情報および第２情報を重畳的に表示することが可能となる。
【００１８】
第４考案の情報媒体は、第２または第３考案において、
前記特定対象物が放射性物質であって、前記第２情報が放射線量の瞬時値または積算値であることを特徴とする。
【００１９】
第３考案の情報媒体によれば、原子力事故等による放射性物質の分布は、大まかな地形図等の上で描かれていることが多く、多くのユーザは、その大まかな地形図上から自分に関係する位置の放射線量の情報を読取らなければならないという、煩雑かつ困難な作業を強いられる。
【００２０】
しかしながら、透明な第１シートに地図情報を印刷することで、第２シート上の放射線量の情報を第１シート上の地図情報と重畳的表示することができ、ユーザは自分に関係する位置の放射線量を簡単かつ正確に読取ることが可能となる。
【００２１】
さらに、放射線量の瞬時値や積算値は時々刻々と更新されたり、エリアを区切って地域別に情報を提示したりするところ、このような場合でも、位置合わせマーカが行政区画の境界ラインとなっているため、ユーザは自分に関係する位置に近い境界ラインを頼りに最新の放射線量の情報を読み出すことができる。また、特定のエリアの放射線量のみが提示されている場合にも、行政区画の境界ラインを頼りにそのエリアの個々の地点の放射線量を正確に読み出すことができ、簡易な構成で分布情報の更新および使用形態の変更にも柔軟に対応することができる。
【００２２】
なお、第１シートが複数枚から構成される場合には、そのうちの１枚のシートに第１情報としての地図情報を記載し、残りの第１シートには、（第２シートに記載された放射線量の情報のほかの）学校の分布や避難所の分布情報等を記載するようにしてもよい。
【図面の簡単な説明】
【００２３】
【図１】本実施形態の情報媒体の全体構成図。
【図２】本実施形態の第１シートの構成を示す説明図。
【図３】本実施形態の第２シートの構成を示す説明図。
【図４】本実施形態の情報媒体の使用状態を示す説明図。
【図５】本実施形態の第２シートの変更例を示す説明図。
【考案を実施するための形態】
【００２４】
まず、本考案の一実施形態としての情報媒体の構成について、図１〜４を参照して説明する。
【００２５】
図１に示すように、本実施形態の情報媒体は、第１シート１と、第２シート２とを備える。
【００２６】
第１シート１は、透明な合成樹脂製（例えば、ポリプロピレン製）のシートであって、シートにはその一方の面に、第１情報としての地図情報が印刷されている。第１シート１に印刷される地図情報は、例えば、一般的な道路地図である。
【００２７】
第２シート２は、紙製のシートであって、その表面に、第２情報として特定対象物の分布情報が複数色で色分けされて印刷されている。
【００２８】
ここで、第２情報としての特定対象物の分布情報は、第１シート１の第１情報である地図情報に対応させてある。すなわち、第１情報と第２情報とは同じ縮尺で、後述するように重ね合わせた際に互いに対応するようになっている。
【００２９】
なお、第１シート１および第２シート２への印刷は、スクリーン印刷、オフセット印刷、グラビア印刷、インクジェット印刷、コピー、箔押等全ての印刷が適用され得る。
【００３０】
そして、第１シート１および第２シート２の全体には、共通する位置合わせマーカ３が付されている。
【００３１】
位置合わせマーカ３は、行政区画の境界ラインである。ここでの行政区画は、県および市町村であり、県境および市町村境が、例えば、黒色または赤色でやや太めに第１シート１および第２シート２の全体に印刷されている。
【００３２】
これにより、第２シート２の上に第１シート１を、位置合わせマーカ３を頼りに重ね合わせることで、第１シート１上の第１情報と第２シート２上の第２情報とが重畳的に表示される。すなわち、第２シート２上に印刷された特定対象物の分布情報を、第１シート１の地図情報に対応させて見ることができ、ユーザは、自分に関係する位置の特定対象物の分布情報を正確に読み出すことができる。
【００３３】
以上が、本実施形態の情報媒体の概要である。
【００３４】
次に、図２〜図４を参照して、本実施形態の情報媒体の具体的な構成について説明する。本実施形態の情報媒体は、今般の原子力事故による放射性物質の分布をユーザである地域住民が自分に関係する位置との関係で正確に把握するためのものである。
【００３５】
そのため、図２に示すように、第１シート１には、福島第１原子力発電所を中心に半径１０ｋｍ毎の同心円４が印刷されている。これにより、ユーザである地域住民が自分に関係する位置が福島第１原子力発電所からどのくらいの距離にあるかを把握することもできるようになっている。
【００３６】
また、第１シート１の地図情報には、道路情報に加えて、鉄道、河川および湖沼等の情報も付加されている。さらに、第１シート１の表面には、山間部に対応させて若干の凹凸が形成されており、このような凹凸部分が半透明でざらついた感じとなっている。これにより、ユーザは、地域の地形を視覚的および触覚的に認識することが可能となっている。
【００３７】
そして、第１シート１には、地図情報を示す線よりも太線かつ異なる色で、行政区画の境界ラインが印刷されている。
【００３８】
一方、図３に示すように、第２シート２には、特定対象物としての放射性物質の分布情報である放射線量の瞬時値が、毎時のマイクロシーベルトに応じてその値が高いほど赤色で、低いほど青いとなるように段階的に色分けされて印刷されている。
【００３９】
そして、第２シート２には、第１シートに印刷された行政区画の境界ラインと同様、太線かつ放射線量を示す色と異なる色で、行政区画の境界ラインが印刷されている。
【００４０】
次いで、図４に示すように、第２シート２の上に第１シート１を行政区画の境界ラインが一致するように重ね合わせることで、ユーザは、第２シート２に示された放射線量を第１シート１の地図情報と対応させて認識することができる。
【００４１】
これまで、このような放射線量の分布情報は、大まかな地形図等の上で描かれており、ユーザは、その大まかな地形図上から自分に関係する位置の分布情報を読取らなければならないという、煩雑かつ困難な作業を強いられていたが、これにより、ユーザは自分に関係する位置の放射線量を簡単かつ正確に読取ることが可能となる。
【００４２】
さらに、放射線量の瞬時値は時々刻々と更新されるものであるが、第２シート２を最新の放射線量の瞬時値に変更することで、ユーザは自分に関係する位置の最新の放射線量の情報を読み出すことができる。
【００４３】
また、図５に示すように、第１シート１と組み合わせて使用される第２シート２は、放射線量の瞬時値に限らず、放射線量の１年間の積算値が印刷された第２シート２とすることもできる。
【００４４】
さらに、放射線量の瞬時値や積算値が印刷された第２シート２は、図３および図５に示すようにフルページで印刷される場合に限らず、特定の地域のみを部分的に印刷されていてもよい。これにより、放射線量に関する情報がホームページ上等で更新された場合に、ユーザが自分に関係する地域のみを部分的に選択して、これをプリントアウトした場合にも、第１シート１と組み合わせて使用することができる。
【００４５】
このように、本実施形態の情報媒体によれば、簡易な構成で情報の更新および使用形態の変更にも柔軟に対応することができる。
【００４６】
なお、本実施形態では、第１シート１に第１情報として地図情報が印刷される場合について説明したが、これに限定されるものではなく、地図情報以外の情報（例えば、天体情報や航路情報等）が印刷されてもよい。
【００４７】
また、本実施形態では、第２シート２に第２情報として特定対象物の分布情報である放射性物質の分布情報が印刷される場合について説明したが、特定対象物およびその分布情報はこれに限定されるものではない。例えば、コンビニエンスストアやラーメン店などの人工構造物の分布情報や、動植物の分布情報であってもよい。
【００４８】
さらに、本実施形態では、位置合わせマーカとして、行政区画の境界ラインを用いたが、これに限定されるものではなく、行政区画以外の湖沼河川、鉄道、道路等を位置合わせマーカの対象として採用してもよい。また、位置合わせマーカとして、ライン全体を印刷する代わりに、ライン同士が交差する点のみを第１シート１および第２シート２の全体に印刷するようにしてもよい。
【００４９】
また、本実施形態では、第１シートが１枚から構成される場合について説明したが、これに限定されるものではなく、第１シートが複数枚から構成されてもよい。この場合には、そのうちの１枚のシートに第１情報としての地図情報を記載し、残りの第１シートには、学校の分布や避難所の分布情報等を記載することができ、第２シートの放射線量の分布情報に加えて学校の分布や避難所の分布情報等も重畳的に表示することが可能となる。
【符号の説明】
【００５０】
１…第１シート、２…第２シート、３…位置合わせマーカ。
【図１】
0003171545.tif 000003
【図２】
0003171545.tif 000004
【図３】
0003171545.tif 000005
【図４】
0003171545.tif 000006
【図５】
0003171545.tif 000007